(57)【要約】  Ｕリブ溶接装置であって、溶接しようとするＵリブの内部に進入可能な移動台（２）と、Ｕリブ内部からＵリブの角継ぎ目の箇所を溶接するために移動台（２）上に設けられる溶接機構と、前記Ｕリブ内部を移動するように移動台を駆動する駆動機構とを含むものである。上記Ｕリブ溶接装置は、Ｕリブの内部でＵリブの角継ぎ目の箇所を溶接することによって、溶接後のＵリブユニットの構造強度を高めることができ、また、Ｕリブ内部の溶接線の溶接不良を減少させることで、Ｕリブユニットの耐疲労強度を高めることもできる。さらに、上記Ｕリブ溶接装置を含むＵリブ溶接システムも提供する。このほか、上記Ｕリブ溶接装置を使用するＵリブ溶接方法も提供する。【選択図】図１
2018519168.tif 000002
【特許請求の範囲】
【請求項１】
Ｕリブ溶接装置であって、
溶接しようとするＵリブの内部に進入可能な移動台と、
Ｕリブ内部から前記Ｕリブの角継ぎ目の箇所を溶接するために前記移動台上に設けられる溶接機構と、
前記Ｕリブ内部で移動するように前記移動台を駆動する駆動機構と
を含むことを特徴とするＵリブ溶接装置。
【請求項２】
前記溶接機構の溶接ガンのヘッド部が前記移動台の前端に位置し、
前記溶接機構が前記Ｕリブの角継ぎ目の箇所を溶接する際に、前記駆動機構が前記移動台を後ろに移動するよう駆動する
ことを特徴とする、請求項１に記載のＵリブ溶接装置。
【請求項３】
前記溶接機構が、対称に設けられる２つの前記溶接ガンを含み、両者の前記ヘッド部がそれぞれ前記移動台の両側に位置して、それぞれ前記Ｕリブ内部の両側の角継ぎ目の箇所を溶接することができることを特徴とする、請求項２に記載のＵリブ溶接装置。
【請求項４】
前記移動台上に前記溶接ガンの角継ぎ目追跡機構がさらに設けられ、前記角継ぎ目追跡機構が、前記溶接ガンの後ろ側に位置する追跡ヘッドを有し、前記追跡ヘッドが前記角継ぎ目に沿って移動し、前記角継ぎ目追跡機構が前記角継ぎ目の位置に応じて前記溶接ガンの位置を調節することを特徴とする、請求項１から３のいずれか一項に記載のＵリブ溶接装置。
【請求項５】
前記角継ぎ目追跡機構が、揺動軸と、弾性部材と、連結部材とを含み、前記追跡ヘッドが前記揺動軸の端部に位置し、前記揺動軸の端部の前記追跡ヘッドが前記角継ぎ目を常に押さえるように、前記弾性部材の一端が前記揺動軸に連結されて、もう一端が前記移動台に連結され、前記溶接ガンのヘッド部と前記揺動軸が同期作動するように、前記連結部材の一端が前記揺動軸に連結されて、もう一端が前記溶接ガンに連結されることを特徴とする、請求項４に記載のＵリブ溶接装置。
【請求項６】
前記角継ぎ目追跡機構が、センサと、コントローラとを含み、前記センサが前記追跡ヘッドに設けられて、前記追跡ヘッドの移動軌跡をコントローラに送信し、前記コントローラが前記移動軌跡に基づいて前記溶接ガンのヘッド部の移動を制御することを特徴とする、請求項４に記載のＵリブ溶接装置。
【請求項７】
前記溶接ガンのヘッド部と前記追跡ヘッドの間に仕切板が設けられることを特徴とする、請求項４に記載のＵリブ溶接装置。
【請求項８】
前記追跡ヘッドにキャリッジが設けられて、前記移動台が移動する際に、前記キャリッジが前記角継ぎ目に沿って転がることを特徴とする、請求項４に記載のＵリブ溶接装置。
【請求項９】
前記移動台の下側に移動プーリが設けられ、前記移動台の両側にいずれも位置決めプーリが設けられて、両側の前記位置決めプーリが前記Ｕリブ内部の側壁に沿って移動することを特徴とする、請求項１から３のいずれか一項に記載のＵリブ溶接装置。
【請求項１０】
溶接中の画像及び／又は溶接後の溶接線の画像を取得する画像取得装置と、前記画像に基づいて前記溶接ガンの位置を調節するための溶接ガンコントローラとをさらに含むことを特徴とする、請求項１から３のいずれか一項に記載のＵリブ溶接装置。
【請求項１１】
２つの前記画像取得装置を含み、１つの前記画像取得装置が、溶接中の画像を取得して、もう１つの前記画像取得装置が、溶接後の溶接線の画像を取得することを特徴とする、請求項１０に記載のＵリブ溶接装置。
【請求項１２】
１つの前記画像取得装置と、角度転換構造とを含み、前記画像取得装置が、溶接中の画像と溶接後の溶接線の画像とをそれぞれ表示することができるように、前記角度転換構造が前記画像取得装置の角度を切換可能であることを特徴とする、請求項１０に記載のＵリブ溶接装置。
【請求項１３】
前記駆動機構が間隔及び／又は高さが可変な駆動ガイドバーを含み、前記駆動ガイドバーと前記移動台を揺れないように連結することを特徴とする、請求項１から３のいずれか一項に記載のＵリブ溶接装置。
【請求項１４】
前記駆動ガイドバーと前記移動台とがフレキシブルユニバーサルジョイントを介して連結されるか、又は両者の連結される箇所にバッファクリアランスが設けられることを特徴とする、請求項１３に記載のＵリブ溶接装置。
【請求項１５】
前記駆動ガイドバーの内部が中空で、前記内部に前記溶接機構の管路が設けられ、前記駆動ガイドバー内の前記管路が、ケーブル、ガスパイプ、冷却水パイプ、ワイヤ供給パイプ、制御線又は信号線のうちの１種類又は数種類を含むことを特徴とする、請求項１３に記載のＵリブ溶接装置。
【請求項１６】
前記Ｕリブの外側に前記移動台の移動レールが設けられ、前記移動レールの間隔及び／又は高さが可変であることを特徴とする、請求項１から３のいずれか一項に記載のＵリブ溶接装置。
【請求項１７】
請求項１から１６のいずれか一項に記載の複数のＵリブ溶接装置を含み、前記複数のＵリブ溶接装置が並列に設けられ同期作動することを特徴とするＵリブ溶接システム。
【請求項１８】
溶接機構を設ける移動台をＵリブ内部に進入させるＳ１と、
溶接初期位置まで移動するように前記移動台を駆動するＳ２と、
溶接終了位置まで後ろに移動するように前記移動台を駆動し、移動中に前記溶接機構が前記Ｕリブ内部の角継ぎ目の箇所を溶接するＳ３と
を含むことを特徴とする、請求項１から１６のいずれか一項に記載のＵリブ溶接装置を使用するＵリブ溶接方法。
【発明の詳細な説明】
【技術分野】
【０００１】
本願は、２０１４年０５月１１日に中国特許庁に提出された、出願番号を２０１５１０２４０１３３．０、発明の名称を「Ｕリブ溶接装置、Ｕリブ溶接システム及びＵリブ溶接方法」とする中国特許出願に基づく優先権を主張するもので、その全部の内容が参照により本願に組み込まれる。
【０００２】
本発明は、橋梁工事分野に関し、具体的に、Ｕリブ溶接装置とＵリブ溶接システム、及びこのＵリブ溶接装置を使用するＵリブ溶接方法に関する。
【背景技術】
【０００３】
鋼橋桁は、橋梁耐力構造における重要な構成部分で、主に支えを提供し、橋梁が変形しないようにするために用いられる。鋼橋桁は、一般的に頂板、底板などの構造を含み、前記頂板及び底板は、一般的にＵリブと底板を溶接して設けられる。
【０００４】
現在、鋼橋桁のＵリブと底板の間の隅肉溶接線には、いずれも外部片面溶接が用いられている。外部から溶接する際に、設計上求められる溶込み深度に達するため、通常は、Ｕリブ外側で開先加工するか、又は大電流を用いて溶接するが、大電流を用いて溶接すると、溶接中の電流、電圧及び溶接速度の安定度が直接的に溶接品質に影響して、溶接品質を確保することが困難となる。Ｕリブ外側で開先加工しても、加工と組立ての際の開先の大きさ、ルート面、隙間を一致させにくくなり、直接的に溶接品質にも影響する。これらの溶接方法では、Ｕリブ内部に不完全溶込み、融合不良、溶接バリがあったり、溶込み深度が要求に沿わなかったりするなどの様々な欠陥をもたらすこともしばしばで、Ｕリブ内部に割れのような欠陥を容易に生じさせて、溶接線の疲労強度にも著しく影響していた。
【０００５】
このため、どのようにしてＵリブの溶接線の欠陥を回避して、溶接線の溶接品質を向上させるかが、当業者にとって現在解決を急ぐべき技術的課題となっている。
【発明の概要】
【発明が解決しようとする課題】
【０００６】
本発明は、Ｕリブ内部の角継ぎ目の箇所を溶接して、Ｕリブ内部の溶接線の欠陥を回避し、溶接線の溶接品質を向上させることができるＵリブ溶接装置を提供することを目的とする。また、本発明は、Ｕリブ溶接システムを提供することをもう一つの目的とする。本発明は、Ｕリブ溶接方法を提供することを３つ目の目的とする。
【課題を解決するための手段】
【０００７】
上記の技術的目的を実現するため、本発明は、
溶接しようとするＵリブの内部に進入可能な移動台と、
Ｕリブ内部から前記Ｕリブの角継ぎ目の箇所を溶接するために前記移動台上に設けられる溶接機構と、
前記Ｕリブ内部で移動するように前記移動台を駆動する駆動機構と
を含むＵリブ溶接装置を提供する。
【０００８】
任意選択的に、前記溶接機構の溶接ガンのヘッド部が前記移動台の前端に位置して、
前記溶接機構が前記Ｕリブの角継ぎ目の箇所を溶接する際に、前記駆動機構が前記移動台を後ろに移動するよう駆動する。
【０００９】
任意選択的に、前記溶接機構が、対称に設けられる２つの前記溶接ガンを含み、両者の前記ヘッド部がそれぞれ前記移動台の両側に位置して、それぞれ前記Ｕリブ内部の両側の角継ぎ目の箇所を溶接することができる。
【００１０】
任意選択的に、さらに、前記移動台上に前記溶接ガンの角継ぎ目追跡機構が設けられ、前記角継ぎ目追跡機構が、前記溶接ガンの後ろ側に位置する追跡ヘッドを有し、前記追跡ヘッドが前記角継ぎ目に沿って移動し、前記角継ぎ目追跡機構が前記角継ぎ目の位置に応じて前記溶接ガンの位置を調節する。
【００１１】
任意選択的に、前記角継ぎ目追跡機構が、揺動軸と、弾性部材と、連結部材とを含み、前記追跡ヘッドが前記揺動軸の端部に位置し、前記揺動軸の端部の前記追跡ヘッドが前記角継ぎ目を常に押さえるように、前記弾性部材の一端が前記揺動軸に連結されて、もう一端が前記移動台に連結され、前記溶接ガンのヘッド部と前記揺動軸が同期作動するように、前記連結部材の一端が前記揺動軸に連結されて、もう一端が前記溶接ガンに連結される。
【００１２】
任意選択的に、前記角継ぎ目追跡機構が、センサと、コントローラとを含み、前記センサが前記追跡ヘッドに設けられて、前記追跡ヘッドの移動軌跡をコントローラに送信し、前記コントローラが前記移動軌跡に基づいて前記溶接ガンのヘッド部の移動を制御する。
【００１３】
任意選択的に、前記溶接ガンのヘッド部と前記追跡ヘッドの間に仕切板が設けられる。
【００１４】
任意選択的に、前記追跡ヘッドにキャリッジが設けられて、前記移動台が移動する際に、前記キャリッジが前記角継ぎ目に沿って転がる。
【００１５】
任意選択的に、前記移動台の下側に移動プーリが設けられ、前記移動台の両側にいずれも位置決めプーリが設けられて、両側の前記位置決めプーリが前記Ｕリブ内部の側壁に沿って移動する。
【００１６】
任意選択的に、さらに、溶接中の画像及び／又は溶接後の溶接線の画像を取得する画像取得装置と、前記画像に基づいて前記溶接ガンの位置を調節するための溶接ガンコントローラとを含む。
【００１７】
任意選択的に、２つの前記画像取得装置を含み、１つの前記画像取得装置が、溶接中の画像を取得して、もう１つの前記画像取得装置が、溶接後の溶接線の画像を取得する。
【００１８】
任意選択的に、１つの前記画像取得装置と、角度転換構造とを含み、前記画像取得装置が、溶接中の画像と溶接後の溶接線の画像とをそれぞれ表示することができるように、前記角度転換構造が前記画像取得装置の角度を切換可能である。
【００１９】
任意選択的に、前記駆動機構が間隔及び／又は高さが可変な駆動ガイドバーを含み、前記駆動ガイドバーと前記移動台を揺れないように連結する。
【００２０】
任意選択的に、前記駆動ガイドバーと前記移動台がフレキシブルユニバーサルジョイントを介して連結されるか、又は両者の連結される箇所にバッファクリアランスが設けられる。
【００２１】
任意選択的に、前記駆動ガイドバーの内部が中空で、その内部に前記溶接機構の管路が設けられ、前記駆動ガイドバー内の前記管路が、ケーブル、ガスパイプ、冷却水パイプ、ワイヤ供給パイプ、制御線又は信号線のうちの１種類又は数種類を含む。
【００２２】
任意選択的に、前記Ｕリブの外側に前記移動台の移動レールが設けられ、前記移動レールの間隔及び／又は高さが可変である。
【００２３】
本発明は、さらに、複数の上記のいずれか一項に記載のＵリブ溶接装置を含み、複数の前記Ｕリブ溶接装置が並列に設けられ、同期作動するＵリブ溶接システムを提供する。
【００２４】
本発明は、さらに、
溶接機構を設ける移動台をＵリブ内部に進入させるＳ１と、
溶接初期位置まで移動するように前記移動台を駆動するＳ２と、
溶接終了位置まで後ろに移動するように前記移動台を駆動し、移動中に前記溶接機構が前記Ｕリブ内部の角継ぎ目の箇所を溶接するＳ３と
を含む、上記のいずれか一項に記載のＵリブ溶接装置を使用するＵリブ溶接方法を提供する。
【発明の効果】
【００２５】
本発明で提供するＵリブ溶接装置では、移動台が、溶接しようとするＵリブの内部に進入可能で、溶接機構が、移動台上に設けられ、駆動機構が、Ｕリブ内部で移動するように移動台を駆動し、移動中に溶接機構がＵリブの内部からＵリブの角継ぎ目の箇所を溶接する。
【００２６】
当該溶接装置では、Ｕリブの内部から直接溶接することによって、Ｕリブ内部の溶接線の溶接品質を保証し、外部から溶接する際に発生しやすい不完全溶込み、融合不良、溶込み深度が不十分などの欠陥が発生しないようにして、溶接線の溶接品質を向上させ、Ｕリブとカバープレートとを溶接して堅牢性のより高いＵリブユニットにして、Ｕリブユニットに外力でひび割れ、変形などの問題を発生しにくくすることが可能となる。
【００２７】
また、当該溶接装置では、Ｕリブとカバープレートが接触する角継ぎ目の箇所を同じ姿勢とパラメータで溶接することによって、溶接線の均一性を向上させ、溶接線の溶接不良を回避しており、それによって、溶接後のＵリブユニットの耐疲労性を高めることができる。
【００２８】
当該溶接装置では、Ｕリブの構造特徴に対して、全く新しい溶接方式を採用しており、先行技術が外部から片面溶接しかできないのに比べて、当該Ｕリブ溶接装置では、Ｕリブ内部で溶接をして、さらに従来の外部溶接の方式と組み合わせることができるので、Ｕリブの溶接線を両面溶接することによって、溶接線の溶接品質を向上させ、Ｕリブ内部の溶接線の溶接不良を減少させて、Ｕリブユニットの耐疲労強度を高め、使用寿命を延ばすことが可能となる。
【００２９】
本発明は、さらに、複数の上記Ｕリブ溶接装置を含み、複数のＵリブ溶接装置が並列に設けられ同期作動するＵリブ溶接システムも提供するが、当該Ｕリブ溶接装置が上記の技術的効果を有するので、当該Ｕリブ溶接システムもそれ相応の技術的効果を有する。
【００３０】
このほか、本発明は、さらに、上記Ｕリブ溶接装置を使用するＵリブ溶接方法も提供するが、当該溶接装置を使用する際に、溶接機構がＵリブ内部に位置して、溶接初期位置から溶接終了位置まで後ろに移動し、Ｕリブ内部の角継ぎ目の箇所を溶接する。上記溶接方法によって溶接されるＵリブ内部の溶接線の溶接品質は高く、Ｕリブユニットの耐疲労強度も高められている。
【図面の簡単な説明】
【００３１】
図面は、本発明をさらに一層理解するために提供され、かつ、明細書の一部を構成して、以下の具体的な実施形態とともに本発明を解釈するためのものであるが、本発明に対する限定を意図するものではない。
【００３２】
【図１】本発明の実施形態において提供するＵリブ溶接装置の構造模式図である。
【図２】図１に示すＵリブ溶接装置がＵリブを溶接する際の模式図である。
【図３】本発明において提供するＵリブを溶接する方法のフローチャートである。
【発明を実施するための形態】
【００３３】
以下、図面と関連付けて本発明の具体的な実施形態について詳細に説明する。ここに記載した具体的な実施形態は、本発明を説明し解釈するためのものにすぎず、本発明を限定するためのものではないと理解されるべきである。
【００３４】
図１及び図２を参照されたい。図１は、本発明の実施形態において提供するＵリブ溶接装置の構造模式図であり、図２は、図１に示すＵリブ溶接装置がＵリブを溶接する際の模式図である。
【００３５】
一つの具体的な実施形態において、本発明は、
溶接しようとするＵリブの内部に進入可能な移動台２と、
Ｕリブ内部からＵリブの角継ぎ目の箇所を溶接するために移動台２上に設けられる溶接機構と、
Ｕリブ内部で移動するように移動台２を駆動する駆動機構と
を含むＵリブ溶接装置を提供する。
【００３６】
当該Ｕリブ溶接装置を使用すると、移動台２がＵリブの内部に進入して、駆動機構が、Ｕリブ内部で移動するように移動台２を駆動し、移動中に溶接機構がＵリブの内部から角継ぎ目の箇所を溶接する。
【００３７】
当該溶接装置では、Ｕリブの内部から直接溶接することができ、Ｕリブ内部の溶接線の溶接品質を保証し、外部から溶接する際に発生しやすい不完全溶込み、融合不良、溶込み深度が不十分などの欠陥が発生しないようにして、溶接線の溶接品質を向上させ、Ｕリブとカバープレートとを溶接して堅牢性のより高いＵリブユニットにして、Ｕリブユニットが外力でひび割れたり、変形したりするなどの問題を発生しにくくすることが可能となる。
【００３８】
このような溶接過程では、溶接機構とＵリブの角継ぎ目の箇所との距離が同じであるため、Ｕリブとカバープレートとの角継ぎ目の箇所を同じ姿勢とパラメータで溶接することによって、溶接線の均一性を向上させ、溶接線の溶接不良を回避して、より優れた溶接効果を得、溶接後のＵリブユニットの耐疲労強度を高めることができる。
【００３９】
当該溶接装置では、Ｕリブの構造特徴に対して、全く新しい溶接方式を採用することによって、Ｕリブ内部の溶接線の溶接品質を向上させている。先行技術が外部から片面溶接しかできないのに比べて、当該Ｕリブ溶接装置では、Ｕリブ内部で溶接をして、さらに従来の外部溶接の方式と組み合わせることができるので、Ｕリブの溶接線を両面溶接することによって、溶接線の溶接品質を向上させ、Ｕリブ内部の溶接線の溶接不良を減少させて、Ｕリブユニットの耐疲労強度を高め、使用寿命を延ばすことが可能となる。
【００４０】
さらに、溶接機構の溶接ガン１のヘッド部を移動台２の前端に位置させて、溶接機構がＵリブの角継ぎ目の箇所を溶接する際に、駆動機構で移動台２を後ろに移動するよう駆動する。
【００４１】
本実施形態において、前記「前」とは、溶接する初期位置の終了位置と比べた方向を示し、「後ろ」とは、溶接する終了位置の初期位置と比べた方向を示す。
【００４２】
溶接中、移動台２の移動方向は溶接位置から次第に離れていくので、溶接時に生じる火花、煙塵が、移動する経路に出現しないようにすることで、溶接によって生じる火花、煙塵のために溶接機構の各種部品が損傷しないようにして、溶接機構の使用寿命を延ばすことができる。
【００４３】
一つの好ましい実施形態において、前記溶接機構は、対称に設けられる２つの溶接ガン１を含み、両者のヘッド部をそれぞれ移動台２の両側に位置させて、それぞれ同時にＵリブ内部の両側の角継ぎ目の箇所を溶接することができる。具体的な構造については、図１及び図２を参照されたい。
【００４４】
当該構造においては、移動台２の移動中、２つの溶接ガン１で同時にＵリブ内部の両側の角継ぎ目の箇所を溶接することができ、移動台２が１回移動すれば、Ｕリブユニット内部の両側の溶接線を溶接し終えるので、溶接効率を向上させることができる。
【００４５】
上記の各実施形態において、移動台２上にさらに溶接ガン１の角継ぎ目追跡機構３を設けて、角継ぎ目追跡機構３が、溶接ガン１の後ろ側に位置する追跡ヘッド３３を有し、追跡ヘッド３３が角継ぎ目に沿って移動し、角継ぎ目追跡機構３が角継ぎ目の位置に応じて溶接ガン１の位置を調節する。
【００４６】
各々の溶接ガン１にいずれも角継ぎ目追跡機構３を設けて、角継ぎ目追跡機構３を溶接ガン１の後ろ側に位置させ、溶接中、移動台２が後ろに移動して、角継ぎ目追跡機構３の追跡ヘッド３３がまず角継ぎ目に沿って移動してから、溶接ガン１が角継ぎ目を溶接する。追跡ヘッド３３は、先に角継ぎ目の位置を追跡して、その後、角継ぎ目の位置に応じて溶接ガン１の位置を調節するので、溶接ガン１が常に角継ぎ目に位置合わせされていることが保証され、それによって、溶接機構の溶接品質が保証される。
【００４７】
一つの具体的な実施形態において、角継ぎ目追跡機構３は、揺動軸３１と、弾性部材３２と、連結部材３４とを含み、追跡ヘッド３３を揺動軸３１の端部に位置付け、揺動軸３１の端部の追跡ヘッド３３が角継ぎ目を常に押さえるように、弾性部材３２の一端を揺動軸３１に連結させて、もう一端を移動台２に連結させ、溶接ガン１のヘッド部と揺動軸３１が同期作動するように、連結部材３４の一端を揺動軸３１に連結させて、もう一端が溶接ガン１を連結させる。
【００４８】
弾性部材３２を移動台２及び揺動軸３１に連結させて、揺動軸３１が外に揺動する傾向を有するようにして、追跡ヘッド３３が常にＵリブの縁に当接して、Ｕリブの縁と底板とで角継ぎ目を形成させて、角継ぎ目を押さえるようにする。Ｕリブの縁の形状又は位置が変化すると、角継ぎ目の位置にも変化を生じるが、弾性部材３２によって、揺動軸３１が角継ぎ目の位置の変化に応じてそれ相応に揺動を調節するようにして、追跡ヘッド３３が常にＵリブの縁と接触を保つことができるので、追跡ヘッド３３が常に角継ぎ目に沿って移動可能であることが保証される。
【００４９】
角継ぎ目追跡機構３の追跡ヘッド３３は常に角継ぎ目に沿って移動可能であるので、追跡ヘッド３３の移動する軌跡がそのまま角継ぎ目の軌跡となり、角継ぎ目の軌跡に応じて溶接ガン１を調節して、溶接中、溶接ガン１が常に角継ぎ目に位置合わせされていることを保証することができる。溶接ガン１の位置を調節する態様は複数種あって、機械的構造によって実現してもよく、制御することによって実現してもよく、さらに、機械的構造と制御を組み合わせることによって実現してもよい。
【００５０】
当該角継ぎ目追跡機構３は、連結部材３４を設けることによって、溶接ガン１のヘッド部と揺動軸３１が同期作動するようにしている。追跡ヘッド３３が角継ぎ目に沿って移動する際に、角継ぎ目の位置に変化が生じたら、追跡ヘッド３３が角継ぎ目の軌跡に沿って移動し、この過程で、揺動軸３１がそれ相応に揺動するとともに、溶接ガン１のヘッド部もそれ相応に揺動するように動かされるので、溶接ガン１のヘッド部が常に角継ぎ目に沿って溶接し、溶接ガン１のヘッド部が角継ぎ目に位置合わせされていることが保証される。
【００５１】
ただし、当該構造における弾性部材３２の機能は、引張力を提供して、揺動軸３１が外に揺動する傾向を有することであるので、当該弾性部材３２は、スプリングでもよく、例えば、テレスコープシリンダのような、当該機能を実現可能なその他の部材であってもよい。
【００５２】
もう一つの好ましい実施形態において、角継ぎ目追跡機構３は、センサと、コントローラとを含み、センサを追跡ヘッド３３に設けて、追跡ヘッド３３の移動軌跡をコントローラに送信し、コントローラが移動軌跡に基づいて溶接ガン１のヘッド部の移動を制御する。
【００５３】
当該実施形態では、制御することによって溶接ガン１のヘッド部の位置を調節する。当該実施形態において、追跡ヘッド３３及び溶接ガン１は、別個に作動することができ、先に追跡ヘッドの移動軌跡を取得して、コントローラが移動軌跡に基づいて溶接ガン１の溶接中の軌跡を制御することによって、溶接が位置合わせさていることが保証され、高品質の溶接が実現される。
【００５４】
具体的に、追跡ヘッド３３のプリセット軌跡に相当する、溶接ガン１の移動する軌跡をコントローラ内でプリセットし、実際の軌跡がプリセット軌跡と異なる場合、追跡ヘッド３３もそれ相応に変化して、センサが、検知した追跡ヘッド３３の位置の変化をコントローラに送信して、コントローラがこの変化に応じて溶接ガン１にそれ相応の調節をして、溶接ガン１に実際の軌跡通りに溶接させることができる。
【００５５】
上記の各実施形態において、溶接ガン１のヘッド部と追跡ヘッド３３の間に仕切板５を設ける。この仕切板５は、溶接時に生じる火花、煙塵などを遮蔽可能である。
【００５６】
溶接ガン１と追跡ヘッド３３が同期作動する際には、溶接ガン１のヘッド部と追跡ヘッド３３の距離を近くすることが必要となるが、この仕切板５は、溶接によって生じる火花、煙塵により追跡ヘッド３３が損傷しないようにすることができ、図１に示すように、仕切板５は、連結部材３４上に設けてもよい。
【００５７】
上記の各実施形態において、追跡ヘッド３３にキャリッジを設け、移動台２が移動する際に、キャリッジが角継ぎ目に沿って転がるようにする。
【００５８】
当該角継ぎ目追跡機構３が移動する際に、キャリッジが角継ぎ目に沿って転がることで、追跡ヘッド３３の滑り摩擦を転がり摩擦に変えることができ、角継ぎ目との接触により生じる摩擦力を減少させ、それによって、追跡ヘッドの使用寿命と追跡精度を高めることができる。
【００５９】
上記の各実施形態において、移動台２の下側に移動プーリ２１を設け、移動台２の両側にいずれも位置決めプーリ２２を設けて、両側の位置決めプーリ２２がＵリブ内部の側壁に沿って移動するようにする。
【００６０】
移動台２は、その下側の移動プーリ２１によって支えられ、移動プーリ２１によって走行して、Ｕリブユニットの溶接を実現する。溶接装置で溶接中、当該溶接機構は、Ｕリブ内部に位置するが、移動台２の両側の位置決めプーリ２２がＵリブの両側の内部に沿って転がることで、溶接中に溶接機構が中央に位置合わせされて、ズレを生じないことを保証することができる。
【００６１】
上記の各々の具体的な実施形態において、当該Ｕリブ溶接装置は、さらに、溶接中の画像及び／又は溶接後の溶接線の画像を取得する画像取得装置と、画像に基づいて溶接ガン１の位置を調節するための溶接ガンコントローラ４とを含む。
【００６２】
画像取得装置を溶接ガン１のヘッド部の近傍に設け、溶接中の画像及び／又は溶接後の溶接線の画像を取得することによって、上記画像に基づいて溶接ガン１の位置の適否を解析することができ、不適切であれば、溶接ガンコントローラ４によって溶接ガン１の位置を調節することで、最良の溶接線を得ることができる。
【００６３】
図２に示すように、溶接ガンコントローラ４は、溶接ガン１のヘッド部をクランプするクランプ機構４１と、クランプ機構４１の回動を制御した上で溶接ガン１の角度を調節し、溶接ガン１の位置を変えることができる角度調節機構４２とを含む。
【００６４】
一つの好ましい実施形態において、Ｕリブ溶接装置は、２つの前記画像取得装置を含み、１つの前記画像取得装置が、溶接中の画像を取得して、もう１つの前記画像取得装置が、溶接後の溶接線の画像を取得する。
【００６５】
１つの画像取得装置が取得した溶接中の画像及び／又は動画に基づいて、作業者は、溶接ガンコントローラ４によって溶接ガン１位置及び状態をリアルタイムで調節して、溶接に不良が発生しないようにして、より優れた溶接効果を得ることができる。もう一つの画像取得装置が取得した画像及び／又は動画に基づいて、作業者は、溶接線の溶接効果を評価して、溶接ガン１の位置を調節するか否かを溶接状況に応じて決めることができる。
【００６６】
もう一つの好ましい実施形態において、Ｕリブ溶接装置は、１つの画像取得装置と、角度転換構造とを含み、画像取得装置が、溶接中の画像と溶接後の溶接線の画像とをそれぞれ表示することができるように、角度転換構造が画像取得装置の角度を切換可能である。
【００６７】
角度転換構造を画像取得装置の角度の切換えに用い、画像取得装置が、第１の状態で、溶接ガン１がＵリブの角継ぎ目の箇所を溶接する際の画像及び／又は動画を取得し、また、第２の状態で、Ｕリブの溶接済の溶接線の画像及び／又は動画を取得する。画像取得装置は、これらの２つの画像を交互に表示することができ、溶接過程と溶接後の溶接線とに基づいて溶接ガンコントローラ４によって溶接ガン１の位置を調節する。
【００６８】
当該Ｕリブ溶接装置には、角継ぎ目追跡機構３のみが設けられてもよく、画像取得装置と溶接ガンコントローラ４のみが設けられてもよく、さらに、角継ぎ目追跡機構３が設けられるとともに画像取得装置と溶接ガンコントローラ４が設けられてもよい。
【００６９】
溶接中、角継ぎ目追跡機構３は、角継ぎ目の位置に応じて溶接ガン１の位置を自動調節し、溶接ガン１が角継ぎ目に位置合わせされていることを保証することができる。角継ぎ目追跡機構３によって調節される溶接ガン１の位置が不正確にならないように、この過程で、作業者は、画像取得装置を介して観察した後、溶接ガンコントローラ４によって溶接ガン１のヘッド部を調節して、最良の溶接効果を達成することができる。
【００７０】
上記の各実施形態において、駆動機構は、間隔及び／又は高さが可変な駆動ガイドバーを含み、駆動ガイドバーと移動台を揺れないように連結する。駆動ガイドバーの下側に支持プーリを設けてもよい。
【００７１】
駆動ガイドバーは、電動式又は気動式で駆動してもよく、駆動ガイドバーの間隔及び／又は高さを可変とすることについても、様々な厚さの底板に適するように、底板の厚さに応じて駆動ガイドバーの高さを調節してもよく、様々なタイプの様々な間隔のＵリブに適するように、Ｕリブの幅に応じて駆動ガイドバーの間隔を調節してもよい。駆動ガイドバーと移動台２を揺れないように連結することによって、駆動ガイドバーの移動中に生じる揺れや振動が、溶接機構に伝わることがなく、溶接機構の溶接品質に影響することもない。
【００７２】
具体的に、駆動ガイドバーと移動台２をフレキシブルユニバーサルジョイントを介して連結するか、又は両者の連結される箇所にバッファクリアランスを設ける。フレキシブルユニバーサルジョイントとバッファクリアランスは、いずれも駆動ガイドバーの移動中の揺れや振動を吸収して、移動台２が常にスムーズに動くように保つことができ、溶接機構の溶接過程にも影響しない。
【００７３】
さらに具体的な実施形態において、駆動ガイドバーの内部を中空にして、その内部に前記溶接機構の管路を設ける。
【００７４】
溶接機構の溶接中には、各システムが互いに協働することが必要となるので、ワイヤ供給システムやガス送りシステムなどが含まれる。ワイヤ供給システムによって溶接ガン１に溶接ワイヤを提供し、ガス送りシステムによって溶接ガン１に溶接ガスを提供し、さらに、電源によって溶接ガン１に給電することも必要となる。
【００７５】
具体的に、駆動ガイドバー内の管路は、ケーブル、ガスパイプ、冷却水パイプ、ワイヤ供給パイプ、制御線又は信号線のうち１種類又は数種類を含む。
【００７６】
各管路は、駆動ガイドバーの中に設けてもよく、専らパイプラインを設けるようにしてもよく、また、各管路は、１つの駆動ガイドバー又は１つのパイプラインの中に設けてもよく、駆動ガイドバーとパイプラインに分散させてもよい。
【００７７】
上記の各実施形態において、Ｕリブの外側に移動台２の移動レールを設け、移動レールの間隔及び／又は高さを可変とする。
【００７８】
溶接中、移動台２をＵリブ内部に位置させて、底板上で走行させる。底板の一端に移動レールを設け、溶接前、移動台２をまず移動レール上で走行させて、底板上まで走らせ、Ｕリブ内部に進入させて溶接する。溶接後、底板上からまた移動レール上まで移動させる。
【００７９】
Ｕリブには様々なタイプがあり、それぞれ様々な構造寸法に対応して、様々なタイプのＵリブに適するように、Ｕリブの寸法に応じて移動レールの間隔を調節してもよい。
【００８０】
Ｕリブには様々なタイプがあり、底板にも様々な厚さがあるが、移動レールの高さは可変であるので、様々な厚さの底板に適応することができる。
【００８１】
上記Ｕリブ溶接装置のほかにも、本発明は、さらに、複数の上記の各実施形態に記載のＵリブ溶接装置を含み、複数のＵリブ溶接装置が並列に設けられ同期作動するＵリブ溶接システムを提供する。
【００８２】
Ｕリブ溶接装置が上記の技術的効果を有するので、当該Ｕリブ溶接システムもそれ相応の技術的効果を有し、複数のＵリブを同時に溶接することができる。
【００８３】
図３を参照されたい。図３は、本発明において提供するＵリブを溶接する方法のフローチャートである。
【００８４】
本発明は、さらに、
溶接機構を設ける移動台をＵリブ内部に進入させるステップ１と、
溶接初期位置まで移動するように前記移動台を駆動するステップ２と、
溶接終了位置まで後ろに移動するように前記移動台を駆動し、移動中に前記溶接機構がＵリブ内部の角継ぎ目の箇所を溶接するステップ３と
を含む、上記Ｕリブ溶接装置を使用するＵリブ溶接方法を提供する。
【００８５】
当該溶接方法においては、移動台をＵリブ内部に位置付けて、溶接初期位置から溶接終了位置まで後ろに移動させ、Ｕリブ内部の角継ぎ目の箇所を溶接する。
【００８６】
当該溶接方法では、Ｕリブ内部からＵリブの角継ぎ目を溶接することによって、Ｕリブ内部の溶接線の溶接品質を保証し、外部から溶接する際に発生しやすい不完全溶込み、融合不良、溶込み深度が不十分などの欠陥が発生しないようにして、溶接線の溶接品質を向上させることが可能となっている。溶接中、溶接機構の移動方向は溶接位置から次第に離れていくので、溶接時に生じる火花、煙塵が溶接機構の移動する経路に出現しないようにすることで、溶接によって生じる火花、煙塵のために溶接機構の各種部品が損傷しないようにしている。当該溶接方法によって溶接されるＵリブ内部の溶接線の溶接品質は高く、Ｕリブユニットの耐疲労強度も高められる。
【００８７】
以上の実施形態は、本発明の原理を説明するために用いた例示的な実施形態にすぎないが、本発明は、これに限定されるものでないと理解される。当業者にとっては、本発明の趣旨及び実質から逸脱しない事情の下で、様々な変形や改良をすることができ、これらの変形や改良も本発明の保護範囲とみなされるものである。
【符号の説明】
【００８８】
図１及び図２中の図面の符号と部材の名称との間の対応関係は、次の通りである。
【００８９】
溶接ガン１、移動台２、移動プーリ２１、位置決めプーリ２２、角継ぎ目追跡機構３、揺動軸３１、弾性部材３２、追跡ヘッド３３、連結部材３４、溶接ガンコントローラ４、クランプ機構４１、角度調節機構４２、仕切板５。
【図１】
2018519168.tif 000003
【図２】
2018519168.tif 000004
【図３】
2018519168.tif 000005
【国際調査報告】
2018519168.tif 000006
2018519168.tif 000007
2018519168.tif 000008
2018519168.tif 000009